(57)【要約】【課題】全紙１枚に表紙片と複数の本文紙片と背表紙片と裏表紙とを構成して見開き２ページでページ総数が増加しても折り畳み形態が安定してその保形性が良く、全紙の裏面も全版１枚紙として表示可能な手折り本を提供すること。【解決手段】方形の全紙を一連一体に断裁して構成される表紙片１１と本文紙片１２ａ〜１２ｖと背表紙片１３と裏表紙片１４とを製本状態に折り重ね自在にする一方、表紙片１１と本文紙片１２ａ〜１２ｖと背表紙片１３と裏表紙片１４とを全紙状に展開自在な手折り本において、表紙片１１と本文紙片１２ａ〜１２ｖと背表紙片と裏表紙片１４とが、裏表紙片１３、背表紙片１４、表紙片１１、本文紙片１２ａ〜１２ｖの順に配置され、表紙片１１と本文紙片１２ａ〜１２ｖと背表紙片１３と裏表紙片１４とを折込んだ状態で順次頁送りされる連載内容が、全紙の表面のみに表示されている手折り本１０。【選択図】図１
0003219399.tif 000002
【実用新案登録請求の範囲】
【請求項１】
方形の全紙を一連一体に断裁して構成される表紙片と複数の本文紙片と背表紙片と裏表紙片とを製本状態に折り重ね自在にする一方、前記表紙片と複数の本文紙片と背表紙片と裏表紙片とを全紙一面に展開自在な手折り本において、
前記表紙片と複数の本文紙片と背表紙片と裏表紙片とが、前記裏表紙片、背表紙片、表紙片、複数の本文紙片の順に配置され、
前記表紙片と複数の本文紙片と背表紙片と裏表紙片とを折込んだ状態で順次頁送りされる連載内容が、前記全紙の表面のみに表示されていることを特徴とする手折り本。
【請求項２】
前記全紙が、前記裏表紙片と背表紙片と表紙片と複数の本文紙片からなるベース紙片段と前記複数の本文紙片のみからなる複数の続葉紙片段とで一連一体の多段に区切られ、
前記ベース紙片段を構成する裏表紙片と背表紙片と表紙片と該表紙片に連続する先頭に配置された本文紙片とが、見開き方向に沿って相互に巻き込むように山折り状態で折り込まれ、
前記ベース紙片段および続葉紙片段を構成する複数の本文紙片が、相互に見開き方向に沿って蛇腹状に折込まれ、
前記ベース紙片段の末尾に配置された本文紙片が、前記続葉紙片段の先頭に配置された本文紙片に対して天地方向に折込まれ、
前記続葉紙片段の末尾に配置された本文紙片が、後続する前記続葉紙片段の先頭に配置された本文紙片に対して天地方向に折込まれていることを特徴とする請求項１記載の手折り本。
【請求項３】
前記表紙片、複数の本文紙片と背表紙片と裏表紙片とを全紙一面に展開した状態で一体に表現される表示内容が、前記全紙の裏面のみに配置されていることを特徴とする請求項１または請求項２記載の手折り本。
【考案の詳細な説明】
【技術分野】
【０００１】
本考案は、方形の全紙を一連一体に断裁して構成される表紙片と複数の本文紙片と背表紙片と裏表紙片とを製本状態に折り重ね自在にする一方、これらの表紙片と複数の本文紙片と背表紙片と裏表紙片とを全紙状に展開自在な手折り本に関するものである。
【背景技術】
【０００２】
従来、折り畳み式本として、方形状の紙を、縦に山折りと谷折りで交互に折り曲げ、この折り曲げた紙を横に二つ折りにしたものが知られている（例えば、特許文献１）。
【先行技術文献】
【特許文献】
【０００３】
【特許文献１】特開２０００−２８０６４７号公報
【考案の概要】
【考案が解決しようとする課題】
【０００４】
特許文献１に記載されている折り畳み式本は、方形状の紙が縦の蛇腹折りと横の折りによって折り畳まれた本となるため、冊子の場合の見開き２ページと比べて、一度に最低４ページ以上を広げて見なければならず、見開きのスペースが倍増し、コンパクトな見開きに支障を来すばかりでなく、上下左右の最低４ページ以上に過度に目配りする必要があるという問題があった。
また、方形状の紙に対して縦の蛇腹折り回数を増加させることにより最低４ページとなる見開きスペースを縮小しようとした場合には、横の折りも重畳されてページ総数が過度に増加し、背表紙もないため、折り畳み形態が不安定となって型崩れし、折り畳み式本として持ち運びが困難になるというという厄介な問題があった。
【０００５】
そこで、本考案は、前述したような従来技術の問題を解決するものであって、すなわち、本考案の目的は、全紙１枚に表紙片と複数の本文紙片と背表紙片と裏表紙とを構成して見開き２ページでページ総数が増加しても折り畳み形態が安定してその保形性が良く、全紙の裏面も全版１枚紙として表示可能な手折り本を提供することである。
【課題を解決するための手段】
【０００６】
請求項１に係る考案は、方形の全紙を一連一体に断裁して構成される表紙片と複数の本文紙片と背表紙片と裏表紙片とを製本状態に折り重ね自在にする一方、前記表紙片と複数の本文紙片と背表紙片と裏表紙片とを全紙一面に展開自在な手折り本において、前記表紙片と複数の本文紙片と背表紙片と裏表紙片とが、前記裏表紙片、背表紙片、表紙片、複数の本文紙片の順に配置され、前記表紙片と複数の本文紙片と背表紙片と裏表紙片とを折込んだ状態で順次頁送りされる連載内容が、前記全紙の表面のみに表示されていることにより、前述した課題を解決するものである。
【０００７】
請求項２に係る考案は、請求項１に記載された手折り本の構成に加えて、前記全紙が、前記裏表紙片と背表紙片と表紙片と複数の本文紙片からなるベース紙片段と前記複数の本文紙片のみからなる複数の続葉紙片段とで一連一体の多段に区切られ、前記ベース紙片段を構成する裏表紙片と背表紙片と表紙片と該表紙片に連続する先頭に配置された本文紙片とが、見開き方向に沿って相互に巻き込むように山折り状態で折り込まれ、前記ベース紙片段および続葉紙片段を構成する複数の本文紙片が、相互に見開き方向に沿って蛇腹状に折込まれ、前記ベース紙片段の末尾に配置された本文紙片が、前記続葉紙片段の先頭に配置された本文紙片に対して天地方向に折込まれ、前記続葉紙片段の末尾に配置された本文紙片が、後続する前記続葉紙片段の先頭に配置された本文紙片に対して天地方向に折込まれていることにより、前述した課題をさらに解決するものである。
【０００８】
請求項３に係る考案は、請求項１または請求項２に記載された手折り本の構成に加えて、前記表紙片と複数の本文紙片と背表紙片と裏表紙片とを全紙一面に展開した状態で一体に表現される表示内容が、前記全紙の裏面のみに配置されていることにより、前述した課題をさらに解決するものである。
【考案の効果】
【０００９】
本考案の手折り本は、方形の全紙を一連一体に断裁して構成される表紙片と複数の本文紙片と背表紙片と裏表紙片とを製本状態に折り重ね自在にする一方、表紙片と複数の本文紙片と背表紙片と裏表紙片とを全紙一面に展開自在であることにより、全紙の表裏両面を利用して表示することできるとともに、以下のような本考案に特有の効果を奏することができる。
【００１０】
請求項１に係る考案の手折り本によれば、表紙片と複数の本文紙片と背表紙片と裏表紙片とが、裏表紙片、背表紙片、表紙片、複数の本文紙片の順に配置され、表紙片と複数の本文紙片と背表紙片と裏表紙片とを折込んだ状態で順次頁送りされる連載内容が、全紙の表面のみに表示されていることにより、折り畳んだ手折り本の使用状態において表紙片に連続する複数の本文紙片が相互に連続する２ページ単位で順次見開かれるため、従来のような一度に最低４ページ以上を広げて見なければならない折り畳み式本に比較すると、見開きのスペースが半減し、コンパクトな見開きを実現することができるばかりでなく、従来のような上下左右の最低４ページ以上に過度に目配りする必要もなく、見開いた状態の視認負担を軽減することができる。
しかも、請求項１に係る考案の手折り本が背表紙片を備えていることにより、折り畳んだ手折り本の使用状態において本文紙片のページ総数が増加しても折り畳み形態を安定して支持するため、手折り本として優れた保形性を発揮することができる。
【００１１】
請求項２に係る考案の手折り本によれば、請求項１に係る考案の手折り本が奏する効果に加えて、全紙が、裏表紙片と背表紙片と表紙片と複数の本文紙片からなるベース紙片段と複数の本文紙片のみからなる複数の続葉紙片段とで一連一体の多段に区切られ、ベース紙片段を構成する裏表紙片と背表紙片と表紙片とこの表紙片連に連続する先頭に配置された本文紙片とが、見開き方向に沿って相互に巻き込むように山折り状態で折り込まれ、ベース紙片段および続葉紙片段を構成する複数の本文紙片が、相互に見開き方向に沿って蛇腹状に折込まれ、ベース紙片段の末尾に配置された本文紙片が、続葉紙片段の先頭に配置された本文紙片に対して天地方向に折込まれ、続葉紙片段の末尾に配置された本文紙片が、後続する続葉紙片段の先頭に配置された本文紙片に対して天地方向に折込まれていることにより、ベース紙片段の本文紙片を相互に折込んだ蛇腹折りが続葉紙片段の本文紙片を相互に折込んだ蛇腹折りが見開き方向で不連続、すなわち、途切れ、その結果、蛇腹折りで生じる過度の歪が抑制されるため、本文紙片のページ総数が増加しても折り畳み形態が安定して手折り本としてより一段と優れた保形性を発揮することができる。
【００１２】
請求項３に係る考案の手折り本によれば、請求項１または請求項２に係る考案の手折り本が奏する効果に加えて、表紙片と複数の本文紙片と背表紙片と裏表紙片とを全紙一面に展開した状態で一体に表現される表示内容が、全紙の裏面のみに配置されていることにより、表紙片と複数の本文紙片と背表紙片と裏表紙片とを展開して構成される裏面が平坦な全判一枚紙となるため、全紙を折り畳んで全紙の表面が見開き２ページで表示される手折り本の使用形態とは別の用途、すなわち、絵画、書画、写真、地図、設計図、ポスター用画像などを表示する場合に使用することができる。
【図面の簡単な説明】
【００１３】
【図１】本考案の実施例である手折り本の全体概要を示す斜視図。
【図２】図１に示す手折り本の真上からみた平面図。
【図３】図１に示す手折り本に用いた全紙の表面側から観た展開図。
【図４】図１に示す手折り本に用いた全紙の裏面側から観た展開図。
【図５】図１に示す手折り本の折込み開始状態の説明図。
【図６】図１に示す手折り本のベース紙片段と続葉紙片段との折込み状態の説明図。
【図７】図１に示す手折り本の表紙片と複数の本文紙片とに対する背表紙片と裏表紙の巻き込み開始状態の説明図。
【考案を実施するための形態】
【００１４】
本考案は、方形の全紙を一連一体に断裁して構成される表紙片と複数の本文紙片と背表紙片と裏表紙片とを製本状態に折り重ね自在にする一方、表紙片と複数の本文紙片と背表紙片と裏表紙片とを全紙一面に展開自在な手折り本において、表紙片と複数の本文紙片と背表紙片と裏表紙片とが、裏表紙片、背表紙片、表紙片、複数の本文紙片の順に配置され、表紙片と複数の本文紙片と背表紙片と裏表紙片とを折込んだ状態で順次頁送りされる連載内容が、全紙の表面のみに表示され、全紙１枚に表紙片と複数の本文紙片と背表紙片と裏表紙とを構成して見開き２ページでページ総数が増加しても折り畳み形態が安定してその保形性が良く、全紙の裏面も全版１枚紙として表示可能なものであれば、その具体的な実施態様は、如何なるものであっても構わない。
【００１５】
例えば、手折り本の素材については、表裏両面に少なくとも印刷可能なものであれば、原料として木材パルプ紙、合成紙、古紙又は和紙を用いたものであっても良く、特に、アート紙、コート紙、軽量コート紙、キャスト紙、微塗工紙等の塗工印刷用紙のみならず、上級印刷用紙、中級印刷用紙、更紙等の下級印刷用紙、インディア紙、薄葉紙等の非塗工印刷用紙、色上質紙等の特殊印刷用紙、コピー用紙等の情報用紙を用いても良い。
そして、手折り本の素材となる全紙については、方形の全判サイズであれば、例えば、洋紙の規格・寸法（ＪＩＳ  Ｐ  ０２０２）で規定された四六判（７８８×１０９１ｍｍ）、Ｂ列本判（７６５×１０８５ｍｍ）、Ａ列本判（６２５×８８０ｍｍ）、ハトロン判（９００×１２００ｍ）などのいずれのサイズであっても良い。
また、手折り本のサイズについては、一例として、上述した全紙を折り畳んで、Ｂ６変型（１８８×１２８ｍｍ）、総頁数６４からなるサイズであっても良く、これ以外のサイズであっても何ら構わない。
【００１６】
さらに、本考案の手折り本は、児童書、単行本、書籍などの出版市場、映画パンフレット、舞台パンフレットなどの美術芸能市場、販売促進ツール、ダイレクトメールなどのビジネス市場において使用することができるものである。
また、手折り本の表面に表示される具体的な連載内容については、頁単位で連続的に表示される手書きのお手本、手引き、説明書き、小説、経文などが挙げられ、他方の裏面に全版１枚紙として、すなわち、表紙片と複数の本文紙片と背表紙片と裏表紙片とを一面に展開した状態で一体に表現される表示内容については、絵画、書画、写真、地図、設計図、ポスター用画像などが挙げられる。
【実施例】
【００１７】
以下、図１乃至図７に基づいて、本考案の一実施例である手折り本を説明する。
【００１８】
＜１．手折り本の構造＞
まず、図１乃至図４に基づいて、本考案の実施例である手折り本１０を説明する。
図１は、本考案の実施例である手折り本の全体概要を示す斜視図であり、図２は、図１に示す手折り本の真上からみた平面図であり、図３は、図１に示す手折り本に用いた全紙の表面側から観た展開図であり、図４は、図１に示す手折り本に用いた全紙の裏面側から観た展開図である。
【００１９】
本考案の一実施例である手折り本１０は、手書きのお手本として使用されるものであって、図１および図２に示すように、表紙片１１と本文紙片１２ａ、１２ｂ、１２ｃ、１２ｄ、１２ｅ、１２ｆ、１２ｇ、１２ｈ、１２ｉ、１２ｊ、１２ｋ、１２ｌ、１２ｍ、１２ｎ、１２ｏ、１２ｐ、１２ｑ、１２ｒ、１２ｓ、１２ｔ、１２ｕ、１２ｖと背表紙片１３と裏表紙片１４とで構成され、これらの表紙片１１と本文紙片１２ａ〜１２ｖと背表紙片１３と裏表紙片１４は、図３および図４に示す方形の全紙（四六判７８８×１０９１ｍｍの特殊印刷用紙）が一連一体に断裁されるとともに、裏表紙片１４と背表紙片１３と表紙片１１と本文紙片１２ａ〜１２ｆからなるベース紙片段１０Ａと本文紙片１２ｇ〜１２ｎのみからなる続葉紙片段１０Ｂと本文紙片１２ｏ〜１２ｖのみからなる続葉紙片段１０Ｃとで一連一体の３段に区切られ、さらに、裏表紙片１４、背表紙片１３、表紙片１１、本文紙片１２ａ、１２ｂ、１２ｃ、１２ｄ、１２ｅ、１２ｆ、１２ｇ、１２ｈ、１２ｉ、１２ｊ、１２ｋ、１２ｌ、１２ｍ、１２ｎ、１２ｏ、１２ｐ、１２ｑ、１２ｒ、１２ｓ、１２ｔ、１２ｕ、１２ｖの順に配置されている。
【００２０】
ここで、表紙片１１と本文紙片１２ａ〜１２ｖとは、同一のサイズであり、これらに対して、裏表紙片１４は、背表紙片１３の幅分だけ小幅のサイズになっている。
そして、裏表紙片１４と背表紙片１３とを合わせたサイズが、表紙片１１のサイズと等しくなっている。
また、ベース紙片段１０Ａと続葉紙片段１０Ｂとの連結部は、続葉紙片段１０Ｂと続葉紙片段１０Ｃとの連結部に対して左右逆に配置されている。
なお、図３および図４に示す符号Ｌは、裁断箇所であり、図５に示す符号Ｘ１は、見開き方向であり、符号Ｘ３は、巻き込み反転させる方向であり、符号１４ａは、裏表紙片に付した書籍バーコードである。
これにより、本実施例の手折り本１０は、従来の冊子のように閉じ合わせたり、従来の製本のように糊付けしたりすることなく、折り重ねて製本状態に形成したり、表紙片１１と本文紙片１２ａ〜１２ｖと背表紙片１３と裏表紙片１４とを全紙一面に展開したりして、２通りの使用形態を実現することができる。
また、本実施例の手折り本１０は、背表紙片１３を備え、本文紙片１２ａ〜１２ｖのページ総数が増加しても折り畳み形態を安定して支持している。
【００２１】
そして、本実施例の手折り本１０は、表紙片１１と本文紙片１２ａ〜１２ｖと背表紙片１３と裏表紙片１４とが、表紙片１１と本文紙片１２ａ〜１２ｖと背表紙片１３と裏表紙片１４とを折込んだ状態で順次頁送りされる連載内容、すなわち、お手本となる縦書きの手書き文章が、全紙の表面のみに表示されている。
そして、ベース紙片段１０Ａの連載内容と続葉紙片段１０Ｂの連載内容とは、天地方向で上下逆転して表示され、続葉紙片段１０Ｂの連載内容と続葉紙片段１０Ｃの連載内容も、天地方向で上下逆転して表示されている。
これにより、折り畳んだ使用状態において表紙片１１に連続する複数の本文紙片１２ａ〜１２ｖは、相互に連続する２ページ単位で順次見開かれるようになっている。
【００２２】
表紙片１１と本文紙片１２ａ〜１２ｖと背表紙片１３と裏表紙片１４とを一面に展開した状態で一体に表現される表示内容、すなわち、写真画が、全紙の裏面のみに配置されている。
これにより、表紙片１１と本文紙片１２ａ〜１２ｖと背表紙片１３と裏表紙片１４とで構成される裏面は、平坦な全判一枚紙に展開されて一目で視認可能となる。
【００２３】
＜２．手折り本の組み立て＞
次に、図５乃至図７に基づいて、本実施例である手折り本１０の組み立て手順を説明する。
ここで、図５は、図１に示す図１に示す手折り本の折込み開始状態の説明図であり、図６は、図１に示す手折り本のベース紙片段と続葉紙片段との折込み状態の説明図であり、図７は、図１に示す手折り本の表紙片と複数の本文紙片とに対する背表紙片と裏表紙の巻き込み開始状態の説明図である。
【００２４】
まず、例えば、上述したような手折り本１０の全紙を一連一体に構成するベース紙片段１０Ａの裏表紙片１４と背表紙片１３と表紙片１１と本文紙片１２ａ〜１２ｆと、本文紙片１２ｇ〜１２ｎのみからなる続葉紙片段１０Ｂと、本文紙片１２ｏ〜１２ｖのみからなる続葉紙片段１０Ｃとを、それぞれ見開き方向Ｘ１に蛇腹状態で折込む。
次いで、これらのベース紙片段１０Ａと続葉紙片段１０Ｂと続葉紙片段１０Ｃとを、図６に示すように、天地方向Ｘ２で蛇腹状に折込む。すなわち、ベース紙片段１０Ａの末尾に配置された本文紙片１２ｆが、続葉紙片段１０Ｂの先頭に配置された本文紙片１２ｇに対して天地方向に折込まれ、続葉紙片段１０Ｂの末尾に配置された本文紙片１２ｎが、後続する続葉紙片段１０Ｃの先頭に配置された本文紙片１２ｏに対して天地方向に折込まれる。
最後に、図７に示すように、ベース紙片段１０Ａを構成する背表紙片１３と裏表紙片１４と表紙片１１とこの表紙片１１に連続する先頭に配置された本文紙片１２ａとを、見開き方向Ｘ１に沿って相互に巻き込むように山折り状態で折り込むことにより、図１に示すような手折り本１０を完成することができる。
【００２５】
＜３．本実施例の効果＞
上述した本実施例の手折り本１０によれば、表紙片１１と本文紙片１２ａ〜１２ｖと背表紙片１３と裏表紙片１４とが、裏表紙片１４、背表紙片１３、表紙片１１、本文紙片１２ａ〜１２ｖの順に配置され、表紙片１１と本文紙片１２ａ〜１２ｖと背表紙片１３と裏表紙片１４とを折込んだ状態で順次頁送りされる連載内容が、全紙の表面のみに表示されているため、従来のような一度に最低４ページ以上を広げて見なければならない折り畳み式本に比較すると、見開きのスペースが半減し、コンパクトな見開き状態を実現するとともに、従来のような上下左右の最低４ページ以上に過度に目配りする必要もなく、見開いた状態の視認負担を軽減するばかりでなく、背表紙片１３を備えているため、手折り本として優れた保形性を発揮することができる。
【００２６】
そして、手折り本１０の全紙が、裏表紙片１４と背表紙片１３と表紙片１１と本文紙片１２ａ〜１２ｆからなるベース紙片段１０Ａと本文紙片１２ｇ〜１２ｎのみからなる続葉紙片段１０Ｂと本文紙片１２ｏ〜１２ｖのみからなる続葉紙片段１０Ｃとで一連一体の３段に区切られ、ベース紙片段１０Ａを構成する裏表紙片１４と背表紙片１３と表紙片１１とこの表紙片１１に連続する先頭に配置された本文紙片１２ａとが、見開き方向Ｘ１に沿って相互に巻き込むように山折り状態で折り込まれ、ベース紙片段１０Ａを構成する本文紙片１２ａ〜１２ｆ、続葉紙片段１０Ｂを構成する本文紙片１２ｇ〜１２ｎ、続葉紙片段１０Ｃを構成する本文紙片１２ｏ〜１２ｖが、相互に見開き方向Ｘ１に沿ってそれぞれ蛇腹状に折込まれ、ベース紙片段１０Ａの末尾に配置された本文紙片１２ｆが続葉紙片段１０Ｂの先頭に配置された本文紙片１２ｇに対して天地方向Ｘ２に折込まれ、さらに、この続葉紙片段１０Ｂの末尾に配置された本文紙片１２ｎが続葉紙片段１０Ｃの先頭に配置された本文紙片１２ｏに対して天地方向Ｘ２に折込まれているため、本文紙片１２ａ〜１２ｖのページ総数が増加しても折り畳み形態が安定して手折り本１０としてより一段と優れた保形性を発揮することができる。
【００２７】
さらに、表紙片１１と本文紙片１２ａ〜１２ｖと背表紙片１３と裏表紙片１４とを全紙一面に展開した状態で一体に表現した表示内容の写真画が、全紙の裏面のみに配置されているため、全紙を折り畳んで全紙の表面が見開き２ページで表示される手折り本の使用形態とは別の用途として使用することができるなど、その効果は甚大である。
【符号の説明】
【００２８】
１０          ・・・手折り本
１０Ａ        ・・・ベース紙片段
１０Ｂ        ・・・続葉紙片段
１０Ｃ        ・・・続葉紙片段
１１          ・・・表紙片
１２ａ〜１２ｖ・・・本文紙片
１３          ・・・背表紙片
１４          ・・・裏表紙片
１４ａ        ・・・裏表紙片に付した書籍バーコード
Ｌ          ・・・裁断箇所
Ｘ１        ・・・見開き方向
Ｘ２        ・・・天地方向
Ｘ３        ・・・巻き込み反転させる方向
【図１】
0003219399.tif 000003
【図２】
0003219399.tif 000004
【図３】
0003219399.tif 000005
【図４】
0003219399.tif 000006
【図５】
0003219399.tif 000007
【図６】
0003219399.tif 000008
【図７】
0003219399.tif 000009